(57)【特許請求の範囲】
【請求項１】
音声を検出するマイクと、
表示部と、
前記表示部に対応して配置され、前記表示部に対する物体の接触を検出するタッチセンサ部と、
前記表示部を、当該表示部の一部のみが表示状態である第１状態と、前記表示部が非表示状態である第２状態とに切り替える制御部と、を備える携帯電子機器であって、
前記制御部は、
前記表示部が前記第２状態である場合に前記マイクにより所定の音声を検出したことに応じて、前記一部に前記所定の音声に対応する画像を含ませて当該表示部を前記第２状態から前記第１状態に切り替え、
当該対応する画像に対する物体の接触を前記タッチセンサ部によって検出すると、所定の処理を実行する、
携帯電子機器。
【請求項２】
前記制御部は、前記表示部が前記第２状態である場合に前記マイクにより前記所定の音声を検出したことに応じて、前記表示部を前記第２状態から前記第１状態に切り替えられた場合、更に前記タッチセンサ部によって物体の接触を検出すると、所定の処理を実行する、請求項１に記載の携帯電子機器。
【請求項３】
前記制御部は、前記表示部を前記第２状態から前記第１状態に切り替えた場合、前記表示部に前記所定の音声に対応する所定の画像を表示させ、更に前記タッチセンサ部によって前記所定の画像に対応する位置に物体の接触を検出すると、前記所定の処理を実行する、
請求項２に記載の携帯電子機器。
【請求項４】
通信部を更に備え、
前記制御部は、前記通信部により通話に係る通信が実行されている場合に、前記表示部が前記第２状態である場合において、前記マイクにより前記所定の音声として終話を示す音声を検出すると、前記表示部を前記第２状態から前記第１状態に切り替え、当該第１状態である場合に前記タッチセンサ部が接触を検出すると、前記所定の処理として通話の切断を実行する、
請求項２又は３に記載の携帯電子機器。
【請求項５】
前記制御部は、前記表示部が前記第２状態である場合において前記タッチセンサ部によって物体の接触を検出すると、前記表示部を前記第１状態に切り替える、
請求項１から４のいずれか１項に記載の携帯電子機器。
【請求項６】
前記制御部は、前記表示部が前記第２状態である場合において前記タッチセンサ部によって接触を検出したとき、当該接触の検出を無効とする、
請求項１から４のいずれか１項に記載の携帯電子機器。
【請求項７】
前記制御部は、前記表示部が前記第２状態から前記第１状態に切り替えられてから、所定時間にわたって接触を検出しなかった場合、前記表示部を前記第１状態から前記第２状態に切り替える、
請求項１から６のいずれか１項に記載の携帯電子機器。
【請求項８】
音声を検出するマイクと、表示部と、前記表示部に対応して配置され、前記表示部に対する物体の接触を検出するタッチセンサ部と、備えた携帯電子機器において、前記表示部の表示状態を切り替える表示状態切替方法であって、
前記表示部が非表示状態である第２状態である場合に前記マイクにより所定の音声を検出したことに応じて、前記表示部の一部に前記所定の音声に対応する画像を含ませて、当該表示部を前記第２状態から当該表示部の前記一部のみが表示状態である第１状態に切り替えるステップ、及び
当該対応する画像に対する物体の接触を前記タッチセンサ部によって検出すると、所定の処理を実行するステップ、
を含む表示状態切替方法。
【請求項９】
音声を検出するマイクと、表示部と、前記表示部に対応して配置され、前記表示部に対する物体の接触を検出するタッチセンサ部と、備えた携帯電子機器に、当該表示部の表示状態を切り替えさせるための処理を実行させるための表示切替プログラムであって、
前記表示部が非表示状態である第２状態である場合に前記マイクにより所定の音声を検出したことに応じて、前記表示部の一部に前記所定の音声に対応する画像を含ませて、当該表示部を前記第２状態から当該表示部の前記一部のみが表示状態である第１状態に切り替える処理、及び
当該対応する画像に対する物体の接触を前記タッチセンサ部によって検出すると、所定の処理を実行する処理、
を前記携帯電子機器に実行させる表示切替プログラム。
【発明の詳細な説明】
【技術分野】
【０００１】
本発明は、携帯電子機器、表示切替方法及び表示切替プログラムに関する。
【背景技術】
【０００２】
従来、操作性を向上させるために、携帯電子機器に対してタッチパネルを設けることが行われている（例えば、特許文献１参照）。このようなタッチパネルが設けられた携帯電子機器は、一定時間経過すると、タッチパネルに対応する表示領域の全部を非表示にして、電力の消費を抑制している。
【先行技術文献】
【特許文献】
【０００３】
【特許文献１】特開２０１０−１９３３５５号公報
【発明の概要】
【発明が解決しようとする課題】
【０００４】
しかしながら、タッチパネルに対応する表示領域の全部が非表示である場合、携帯電子機器のユーザは、タッチパネルに対してどのような操作を行えばよいか分からなくなるという問題がある。このような場合、ユーザは、何かしらの操作を携帯電子機器に対して行うことにより、表示領域を非表示状態から表示状態に切り替えて表示領域を確認しなければならず、操作が煩雑になるという問題があった。
【０００５】
本発明は、タッチパネルに対応する表示が非表示である場合に、簡便な操作にてタッチパネルを確認することが可能な携帯電子機器、表示切替方法及び表示切替プログラムを提供することを目的とする。
【課題を解決するための手段】
【０００６】
本発明に係る携帯電子機器は、音声を検出するマイクと、表示部と、前記表示部に対応して配置され、物体の接触を検出するタッチセンサ部と、前記表示部を、当該表示部の全部又は一部が表示状態である第１状態と、前記表示部が非表示状態である第２状態とに切り替える制御部と、を備える携帯電子機器であって、前記制御部は、前記表示部が前記第２状態である場合に前記マイクにより所定の音声を検出したことに応じて、前記表示部を前記第２状態から前記第１状態に切り替える。
【０００７】
また、本発明に係る携帯電子機器では、前記制御部は、前記表示部が前記第２状態である場合に前記マイクにより前記所定の音声を検出したことに応じて、前記表示部を前記第２状態から前記第１状態に切り替えられた場合、更に前記タッチセンサ部によって物体の接触を検出すると、所定の処理を実行することが好ましい。
【０００８】
また、本発明に係る携帯電子機器は、前記制御部は、前記表示部を前記第２状態から前記第１状態に切り替えた場合、前記表示部に前記所定の音声に対応する所定の画像を表示させ、更に前記タッチセンサ部によって前記所定の画像に対応する位置に物体の接触を検出すると、前記所定の処理を実行することが好ましい。
【０００９】
また、本発明に係る携帯電子機器は、通信部を更に備え、前記制御部は、前記通信部により通話に係る通信が実行されている場合に、前記表示部が前記第２状態である場合において、前記マイクにより前記所定の音声として終話を示す音声を検出すると、前記表示部を前記第２状態から前記第１状態に切り替え、当該第１状態である場合に前記タッチセンサ部が接触を検出すると、前記所定の処理として通話の切断を実行することが好ましい。
【００１０】
また、本発明に係る携帯電子機器では、前記制御部は、前記表示部が前記第２状態である場合において前記タッチセンサ部によって物体の接触を検出すると、前記表示部を前記第１状態に切り替えることが好ましい。
【００１１】
また、本発明に係る携帯電子機器では、前記制御部は、前記タッチセンサ部が前記第２状態である場合に接触を検出したとき、当該接触の検出を無効とすることが好ましい。
【００１２】
また、本発明に係る携帯電子機器では、前記制御部は、前記表示部が前記第２状態から前記第１状態に切り替えられてから、所定時間にわたって接触を検出しなかった場合、前記表示部を前記第１状態から前記第２状態に切り替えることが好ましい。
【００１３】
本発明に係る表示状態切替方法は、音声を検出するマイクと、表示部と、前記表示部に対応して配置され、物体の接触を検出するタッチセンサ部と、備えた携帯電子機器において、前記表示部の表示状態を切り替える表示状態切替方法であって、前記表示部が非表示状態である第２状態である場合に前記マイクにより所定の音声を検出したことに応じて、前記表示部を前記第２状態から当該表示部の全部又は一部が表示状態である第１状態に切り替えるステップを含む。
【００１４】
本発明に係る表示状態切替プログラムは、音声を検出するマイクと、表示部と、前記表示部に対応して配置され、物体の接触を検出するタッチセンサ部と、備えた携帯電子機器に、当該表示部の表示状態を切り替えさせるための処理を実行させるための表示切替プログラムであって、前記表示部が非表示状態である第２状態である場合に前記マイクにより所定の音声を検出したことに応じて、前記表示部を前記第２状態から当該表示部の全部又は一部が表示状態である第１状態に切り替える処理を前記携帯電子機器に実行させる。
【発明の効果】
【００１５】
本発明によれば、タッチパネルに対応する表示が非表示である場合に、簡便な操作にてタッチパネルを確認することができる。
【図面の簡単な説明】
【００１６】
【図１】本実施形態に係る携帯電話機の外観斜視図である。
【図２】本実施形態に係る携帯電話機の機能を示すブロック図である。
【図３】本実施形態に係る表示部の表示状態を示す図である。
【図４】本実施形態に係る表示部に終話を示す音声に対応する終話を受け付ける画像が表示された一例を示す図である。
【図５】本実施形態に係る制御部による表示部の表示状態を切り替える処理の流れを示すフローチャートである。
【発明を実施するための形態】
【００１７】
以下、本発明の実施の形態について説明する。まず、本発明の携帯電子機器の一実施形態に係る携帯電話機１の基本構造について、図１を参照しながら説明する。図１は、本実施形態に係る携帯電話機１の外観斜視図である。
【００１８】
携帯電話機１は、筺体２を備える。筺体２には、正面部に、タッチパネル１０と、マイク１３と、スピーカ１４とが配置される。
【００１９】
タッチパネル１０は、表示部１１と、タッチセンサ部１２とを備える（図２参照）。表示部１１は、液晶表示パネル又は有機ＥＬ（エレクトロルミネッセンス）表示パネル等である。タッチセンサ部１２は、表示部１１に対応して配置され、携帯電話機１のユーザの指やタッチペン等の物体の接触を検出する。タッチセンサ部１２には、例えば、静電容量方式や抵抗膜方式等のセンサが利用可能である。
【００２０】
マイク１３は、携帯電話機１のユーザが通話時に発した音声を入力するために用いられる。
スピーカ１４は、携帯電話機１のユーザの通話相手が発した音声を出力するために用いられる。
【００２１】
続いて、図２を参照しながら、携帯電話機１の機能構成について説明する。図２は、携帯電話機１の機能構成を示すブロック図である。
【００２２】
携帯電話機１は、上述した、タッチパネル１０（表示部１１及びタッチセンサ部１２）と、マイク１３と、スピーカ１４とを備える。また、携帯電話機１は、通信部１５と、記憶部１６と、制御部１７とを備える。
【００２３】
通信部１５は、メインアンテナ（図示省略）とＲＦ回路部（図示省略）とを備え、所定の使用周波数帯で基地局等の外部装置と通信を行う。具体的には、通信部１５は、上記のメインアンテナによって受信した信号を復調処理し、処理後の信号を制御部１７に供給する。また、通信部１５は、制御部１７から供給された信号を変調処理し、上記のメインアンテナを介して外部装置に送信する。
【００２４】
記憶部１６は、例えば、ワーキングメモリを含み、制御部１７による演算処理に利用される。また、記憶部１６は、携帯電話機１の内部で動作するアプリケーションを１又は複数記憶している。具体的には、記憶部１６は、所定の音声としての終話を示す音声（例えば、「バイバイ」等）に対応するアプリケーションであって、通信部１５による通話に係る通信を切断する通話切断プログラムを記憶する。また、記憶部１６は、終話を示す音声に一致又は類似する音声を示す音声パターン情報を記憶する。なお、記憶部１６は、着脱可能な外部メモリを兼ねていてもよい。
【００２５】
制御部１７は、携帯電話機１の全体を制御する。例えば、制御部１７は、表示部１１、スピーカ１４、及び通信部１５に対して所定の制御を行う。また、制御部１７は、タッチセンサ部１２によって物体の接触を検出したことに応じて、各種処理を実行する。制御部１７は、処理実行の際には、記憶部１６を制御し、各種プログラム及びデータの読み出し、並びにデータの書き込みを行う。
【００２６】
また、制御部１７は、表示部１１を、当該表示部１１の全部又は一部が表示状態である第１状態と、表示部１１の全部が非表示状態である第２状態とに切り替える。
なお、表示状態とは、表示部１１に特定の画像を表示させずに、表示部１１を単に発光させる発光状態も含むものとする。
【００２７】
図３は、本実施形態に係る表示部１１の表示状態を示す図である。
図３（ａ）は、第１状態の一例を示す図である。第１状態では、制御部１７によって、表示部１１のそれぞれの位置に対して、表示されている画像に対応する処理が割り当てられる。
【００２８】
図３（ｂ）は、第２状態の一例を示す図である。制御部１７は、タッチセンサ部１２によって物体の接触を検出すると、第２状態から、第１状態に切り替える。具体的には、制御部１７は、第２状態においてタッチセンサ部１２によって物体の接触を検出すると、第２状態から、第１状態（例えば、図３（ａ）に示す表示状態）に切り替える。
【００２９】
また、制御部１７は、表示部１１が第２状態である場合に、マイク１３により所定の音声を検出したことに応じて、表示部１１を第２状態から第１状態に切り替える。
【００３０】
具体的には、制御部１７は、通信部１５により通話に係る通信が実行され、表示部１１が第２状態である場合に、マイク１３に入力された音声が所定の音声としての終話を示す音声であるか否かを判定する。ここで、所定の音声であるか否かの判定は、記憶部１６に記憶されている所定の音声を示す音声パターン情報と照合することによって行われる。
【００３１】
制御部１７は、マイク１３に入力された音声が終話を示す音声であると判定したことに応じて、表示部１１を第２状態から第１状態に切り替える。この際に、制御部１８は、例えば図４に示すように、表示部１１に終話を示す音声に対応する終話を受け付ける画像のみを表示させてもよい。また、制御部１７は、当該終話を受け付ける画像が表示される位置に対して物体の接触を検出すると、当該画像に対応する処理（所定の処理）として、記憶部１６に記憶されている通話切断プログラムを実行する。
【００３２】
前述したように、図４は、本実施形態に係る表示部１１に終話を示す音声に対応する終話を受け付ける画像が表示された一例を示す図である。図４では、終話を示す音声に対応する終話を受け付ける画像として、終話ボタン１１１のみを表示する。
【００３３】
図４に示される状態において、タッチセンサ部１２によって終話ボタン１１１に対応する位置への物体の接触を検出すると、制御部１７は、当該位置に対して割り当てられた処理である通話切断プログラムを実行する。すると、通話切断プログラムによって、通信部１５により通話に係る通信が切断される。なお、本実施形態では、図４に示すように、終話を受け付ける画像を表示させることとしたが、これに限らず、画像の大きさを大きくする等、調整するようにしてもよい。
【００３４】
また、制御部１７は、表示部１１が第２状態から第１状態に切り替えられた時間、又はタッチセンサ部１２により表示部１１に対応する位置の接触が検出された時間のうち遅い時間から、所定時間にわたってタッチセンサ部１２による物体の接触が検出されなかった場合、表示部１１を第１状態から第２状態に切り替える。
【００３５】
続いて、図５を参照して、制御部１７による表示部１１の表示状態を切り替える処理の流れについて説明する。図５は、本実施形態に係る制御部１７による表示部１１の表示状態を切り替える処理の流れを示すフローチャートである。
【００３６】
ステップＳ１において、制御部１７は、タッチセンサ部１２を介して発呼又は着呼に対応する所定の操作が行われたことに応じて、通話に係る通信を開始する。
ステップＳ２において、制御部１７は、表示部１１の表示状態が第１状態であるか否かを判定する。制御部１７は、この判定がＹＥＳの場合、ステップＳ３に処理を移し、この判定がＮＯの場合、ステップＳ８に処理を移す。
【００３７】
ステップＳ３において、制御部１７は、タッチセンサ部１２により、表示部１１に対応する位置の接触が検出されたか否かを判定する。制御部１７は、この判定がＹＥＳの場合、ステップＳ６に処理を移し、この判定がＮＯの場合、ステップＳ４に処理を移す。
【００３８】
ステップＳ４において、制御部１７は、表示部１１の表示状態が第１状態に切り替えられた時間、又はタッチセンサ部１２により表示部１１に対応する位置の接触が検出された時間のうち、遅い時間から所定時間経過したか否かを判定する。制御部１７は、この判定がＹＥＳの場合、ステップＳ５に処理を移し、この判定がＮＯの場合、ステップＳ８に処理を移す。
【００３９】
ステップＳ５において、制御部１７は、表示部１１の表示状態を第１状態から、図３（ｂ）に示される第２状態に切り替える。この処理が終了すると、制御部１７は、ステップＳ８に処理を移す。
【００４０】
ステップＳ６において、制御部１７は、接触された位置に対応する処理を実行する。
ステップＳ７において、制御部１７は、ステップＳ６において処理が実行された結果、通話に係る通信が切断されたか否か、すなわち、記憶部１６に記憶されている通話切断プログラムが実行されたか否かを判定する。制御部１７は、この判定がＹＥＳの場合、本フローチャートに係る処理を終了し、この判定がＮＯの場合、ステップＳ２に処理を移す。
【００４１】
ステップＳ８において、制御部１７は、表示部１１の表示状態が第２状態であるか否かを判定する。制御部１７は、この判定がＹＥＳの場合、ステップＳ９に処理を移し、この判定がＮＯの場合、ステップＳ２に処理を移す。
【００４２】
ステップＳ９において、制御部１７は、マイク１３において検出された音声が終話を示す音声であるか否かを判定する。制御部１７は、この判定がＹＥＳの場合、ステップＳ１０に処理を移し、この判定がＮＯの場合、ステップＳ１１に処理を移す。
【００４３】
ステップＳ１０において、制御部１７は、図４に示すように、表示部１１に終話を受け付ける画像として終話ボタン１１１を表示させて、表示部１１の表示状態を第２状態から、第１状態に切り替える。また、制御部１７は、終話ボタン１１１が表示される位置に対して、終話ボタン１１１に対応する処理として、記憶部１６に記憶されている通話切断プログラムを実行する処理を割り当てる。この処理が終了すると、制御部１７は、処理をステップＳ２に移す。
【００４４】
ステップＳ１１において、制御部１７は、タッチセンサ部１２により、表示部１１に対応する位置の接触が検出されたか否かを判定する。制御部１７は、この判定がＹＥＳの場合、ステップＳ１２に処理を移し、この判定がＮＯの場合、ステップＳ２に処理を移す。
【００４５】
ステップＳ１２において、制御部１７は、表示部１１の表示状態を第２状態から図３（ａ）に示す第１状態に切り替える。
【００４６】
以上のように、本実施形態によれば、携帯電話機１は、制御部１７により、表示部１１が第２状態である場合にマイク１３により所定の音声を検出したことに応じて、表示部１１を第２状態から第１状態に切り替える。よって、携帯電話機１は、タッチパネル１０に対応する表示が非表示である第２状態である場合に、簡便な操作にて第１状態に切り替えることで、ユーザに対してタッチパネルに表示されている内容を確認させることができる。
【００４７】
また、携帯電話機１は、制御部１７により、表示部１１が第２状態である場合にマイク１３により所定の音声を検出したことに応じて、表示部１１を第２状態から第１状態に切り替えた場合、更にタッチセンサ部１２によって物体の接触を検出すると、所定の処理を実行する。
【００４８】
よって、携帯電話機１は、ユーザが発した音声に対応して、ユーザが行う可能性の高い操作に対応する所定の処理を実行することができる。
【００４９】
また、携帯電話機１は、通信部１５により通話に係る通信が実行され、表示部１１が第２状態である場合において、マイク１３により所定の音声として終話を示す音声を検出すると、表示部１１を第２状態から第１状態に切り替えると共に表示部１１に通話に係る通信の切断に対応する画像を表示させる。そして、タッチセンサ部１２によって当該画像に対応する位置への物体の接触を検出すると、記憶部１６に記憶されている第１アプリケーションとしての通話に係る通信を切断する通話切断プログラムを実行する。よって、携帯電話機１のユーザは、通話時に、終話に係る音声を発することによって、簡易的な操作で通話に係る通信を切断させることができる。
【００５０】
また、携帯電話機１は、制御部１７により、表示部１１が第２状態である場合においてタッチセンサ部１２によって物体の接触を検出すると、表示部１１を第１状態に切り替える。よって、携帯電話機１は、タッチセンサ部１２によって物体の接触を検出したことに応じて、第２状態から第１状態に切り替えることができる。
【００５１】
また、携帯電話機１は、制御部１７により、表示部１１が第２状態から第１状態に切り替えられてから、所定時間にわたってタッチセンサ部１２による物体の接触が検出されなかった場合、表示部１１を第１状態から第２状態に切り替える。よって、携帯電話機１は、所定時間にわたってタッチセンサ部１２による物体の接触が検出されなかった場合に、操作が行われないものとして第２状態に切り替え、誤操作を防止することができる。
【００５２】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００５３】
本実施形態では、携帯電話機１のマイク１３に入力された音声が所定の音声である場合に、表示部１１の表示状態を切り替えることとしたが、これに限らない。例えば、携帯電話機１にヘッドセットを接続して、当該ヘッドセットに入力された音声に基づいて表示部１１の表示状態を切り替えることとしてもよい。
【００５４】
また、本実施形態では、所定の音声は、終話を示す音声であることとしたが、これに限らない。例えば、所定の音声は、メールの起動を示す音声であったり、アドレス帳の起動を示す音声であったりしてもよい。そして、制御部１７は、これらの音声を検出したことに応じて、メールに係るアプリケーションを起動するためのボタンを表示したり、アドレス帳に係るアプリケーションを起動するためのボタンを表示したりしてもよい。そして、制御部１７は、これらのボタンに対応する処理を受け付けたりしてもよい。
【００５５】
また、本実施形態では、所定の音声に対応する画像が表示される位置に対して、当該画像に対応する処理として、記憶部１６に記憶されている第１アプリケーションを実行する処理を割り当てることとしたが、これに限らない。例えば、当該画像に対応する処理として、記憶部１６に記憶されているアドレス帳検索やメール作成やショートメッセージ作成といったアプリケーションの一機能を実行する処理を割り当てることとしてもよい。
【００５６】
また、本実施形態では、第２状態であるタッチパネル１０が接触を検出すると、当該タッチパネル１０を第１状態にする態様が示されているが、これに限らない。例えば、制御部１７は、第２状態であるタッチパネル１０に対して接触が行われた場合、当該接触を無効としてタッチパネル１０を第１状態とさせない態様としてもよい。このようにすることで、ユーザによる誤操作を防止することができる。
【符号の説明】
【００５７】
１  携帯電話機
１０  タッチパネル
１１  表示部
１２  タッチセンサ部
１３  マイク
１４  スピーカ
１５  通信部
１６  記憶部
１７  制御部
【図１】
0005995405.tif 000002
【図２】
0005995405.tif 000003
【図３】
0005995405.tif 000004
【図４】
0005995405.tif 000005
【図５】
0005995405.tif 000006